(57)【要約】【課題】リジェクト紙幣の発生率を低減するための紙幣処理装置を提供する。【解決手段】出金用の紙幣を収納する紙幣集積部と、前記紙幣を鑑別する鑑別部と、出金取引時に前記紙幣集積部から分離され、前記鑑別部による鑑別結果が正常であった紙幣が搬送される接客部と、前記出金取引時に前記紙幣集積部から分離され、前記鑑別部による鑑別結果が異常であった紙幣が搬送される一時保留部と、リジェクト紙幣集積部と、前記一時保留部に搬送された紙幣を前記鑑別部に再搬送し、前記鑑別部による鑑別結果が異常であった場合、当該紙幣を前記リジェクト紙幣集積部に搬送する制御部と、を備える、紙幣処理装置。【選択図】図５
2013016133.tif 000002
【特許請求の範囲】
【請求項１】
出金用の紙幣を集積する紙幣集積部と、
前記紙幣を鑑別する鑑別部と、
出金取引時に前記紙幣集積部から分離され、前記鑑別部による鑑別結果が正常であった紙幣が搬送される接客部と、
前記出金取引時に前記紙幣集積部から分離され、前記鑑別部による鑑別結果が異常であった紙幣が搬送される一時保留部と、
リジェクト紙幣集積部と、
前記一時保留部に搬送された紙幣を前記鑑別部に再搬送し、前記鑑別部による鑑別結果が異常であった場合、当該紙幣を前記リジェクト紙幣集積部に搬送する制御部と、
を備える、紙幣処理装置。
【請求項２】
前記制御部は、前記一時保留部から前記鑑別部に紙幣を再搬送し、前記鑑別部による鑑別結果が正常であった場合、当該紙幣を鑑別結果に応じた金種の紙幣集積部に搬送する、請求項１に記載の紙幣処理装置。
【請求項３】
前記制御部は、前記一時保留部に搬送された紙幣を前記紙幣集積部に戻してから前記鑑別部へ再搬送する、請求項１に記載の紙幣処理装置。
【請求項４】
前記制御部は、
前記鑑別部へ再搬送の回数が設定範囲内である場合、前記鑑別部による鑑別結果が異常であった紙幣を前記一時保留部に搬送し、当該紙幣を前記紙幣集積部に戻し、当該紙幣を前記鑑別部へ再搬送することを繰り返し、
前記鑑別部へ再搬送の回数が設定範囲を上回った場合、前記鑑別部による鑑別結果が異常であった紙幣を前記リジェクト紙幣集積部に搬送する、請求項３に記載の紙幣処理装置。
【請求項５】
前記制御部は、前記一時保留部に搬送された紙幣の分離元の紙幣集積部を管理しており、前記一時保留部に搬送された紙幣を前記分離元の紙幣集積部に戻す、請求項４に記載の紙幣処理装置。
【請求項６】
前記制御部は、前記一時保留部から前記紙幣集積部へ紙幣を戻す際に、前記一時保留部の紙幣を、前記鑑別部を経由させ、前記鑑別部による鑑別結果に応じた金種の紙幣集積部に搬送する、請求項４に記載の紙幣処理装置。
【請求項７】
前記制御部は、前記出金取引時に前記接客部に出金枚数の紙幣が集積された後に、前記一時保留部にある紙幣の前記鑑別部への再搬送を開始する、請求項１〜６のいずれか一項に記載の紙幣処理装置。
【発明の詳細な説明】
【技術分野】
【０００１】
本発明は、リジェクト紙幣の発生率を低減するための紙幣処理装置に関する。
【背景技術】
【０００２】
近日、銀行、駅構内、およびコンビニエンスストアなど、多様な場所に自動取引装置（ＡＴＭ：ａｕｔｏｍａｔｅｄ−ｔｅｌｌｅｒ  ｍａｃｈｉｎｅ）が設置されている。顧客は、この自動取引装置に表示される表示画面において各種操作を行うことにより、入金、出金および残高照会などの取引を行うことができる。
【０００３】
このような自動取引装置は、金種ごとに紙幣を集積するための紙幣カセットを有する。例えば、自動取引装置は、入金取引においては顧客によって入金された紙幣を対応する金種の紙幣カセットに集積し、出金取引においては紙幣カセットから紙幣を分離して接客口に搬送する。ただし、特許文献１に開示されているように、出金取引において鑑別部により異常と鑑別された紙幣は、不明券搬送先であるリジェクトカセットに搬送される。
【先行技術文献】
【特許文献】
【０００４】
【特許文献１】特開２００１−２６６２２３号公報
【発明の概要】
【発明が解決しようとする課題】
【０００５】
しかし、本来は正常な紙幣であっても、紙幣カセット内の集積状況、分離機構の摩耗状況および紙幣の走行状態（搬送状態）などによって金種を特定できない紙幣が発生することが考えられる。このため、リジェクトカセットに搬送される紙幣（死に金）が必要以上に増加してしまうという問題があった。
【０００６】
そこで、本発明は、上記問題に鑑みてなされたものであり、本発明の目的とするところは、リジェクト紙幣の発生率を低減することが可能な、新規かつ改良された紙幣処理装置を提供することにある。
【課題を解決するための手段】
【０００７】
上記課題を解決するために、本発明のある観点によれば、出金用の紙幣を集積する紙幣集積部と、前記紙幣を鑑別する鑑別部と、出金取引時に前記紙幣集積部から分離され、前記鑑別部による鑑別結果が正常であった紙幣が搬送される接客部と、前記出金取引時に前記紙幣集積部から分離され、前記鑑別部による鑑別結果が異常であった紙幣が搬送される一時保留部と、リジェクト紙幣集積部と、前記一時保留部に搬送された紙幣を前記鑑別部に再搬送し、前記鑑別部による鑑別結果が異常であった場合、当該紙幣を前記リジェクト紙幣集積部に搬送する制御部と、を備える紙幣処理装置が提供される。
【０００８】
前記制御部は、前記一時保留部から前記鑑別部に紙幣を再搬送し、前記鑑別部による鑑別結果が正常であった場合、当該紙幣を鑑別結果に応じた金種の紙幣集積部に搬送してもよい。
【０００９】
前記制御部は、前記一時保留部に搬送された紙幣を前記紙幣集積部に戻してから前記鑑別部へ再搬送してもよい。
【００１０】
前記制御部は、前記鑑別部へ再搬送の回数が設定範囲内である場合、前記鑑別部による鑑別結果が異常であった紙幣を前記一時保留部に搬送し、当該紙幣を前記紙幣集積部に戻し、当該紙幣を前記鑑別部へ再搬送することを繰り返し、前記鑑別部へ再搬送の回数が設定範囲を上回った場合、前記鑑別部による鑑別結果が異常であった紙幣を前記リジェクト紙幣集積部に搬送してもよい。
【００１１】
前記制御部は、前記一時保留部に搬送された紙幣の分離元の紙幣集積部を管理しており、前記一時保留部に搬送された紙幣を前記分離元の紙幣集積部にしてもよい。
【００１２】
前記制御部は、前記一時保留部から前記紙幣集積部へ紙幣を戻す際に、前記一時保留部の紙幣を、前記鑑別部を経由させ、前記鑑別部による鑑別結果に応じた金種の紙幣集積部に搬送してもよい。
【００１３】
前記制御部は、前記出金取引時に前記接客部に出金枚数の紙幣が集積された後に、前記一時保留部にある紙幣の前記鑑別部への再搬送を開始してもよい。
【発明の効果】
【００１４】
以上説明したように本発明によれば、リジェクト紙幣の発生率を低減することが可能である。
【図面の簡単な説明】
【００１５】
【図１】本発明の実施形態である自動取引システムの構成を示した説明図である。
【図２】自動取引装置の内部構成を示した説明図である。
【図３】通常の出金取引の流れを示した説明図である。
【図４】通常の出金取引の流れを示した説明図である。
【図５】第１の実施形態による出金取引を示した説明図である。
【図６】第１の実施形態による出金取引を示した説明図である。
【図７】第１の実施形態による自動取引装置の出金取引を整理したフローチャートである。
【図８】第２の実施形態による出金取引を示した説明図である。
【図９】第２の実施形態による自動取引装置の出金取引を整理したフローチャートである。
【図１０】第３の実施形態による出金取引を示した説明図である。
【図１１】第３の実施形態による自動取引装置の出金取引を整理したフローチャートである。
【図１２】第４の実施形態による自動取引装置の出金取引を整理したフローチャートである。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
＜１．自動取引システムの概要＞
まず、図１を参照し、本発明の実施形態による自動取引システムの概要を説明する。
【００１８】
図１は、本発明の実施形態である自動取引システムの構成を示した説明図である。図１に示したように、自動取引システムは、複数の自動取引装置１０と、専用網１２と、金融機関ホスト２０と、を含む。
【００１９】
自動取引装置（紙幣処理装置）１０は、金融機関の顧客による操作に基づいて金銭の取引を実行する顧客操作型端末である。この自動取引装置１０は、金融機関の営業店、コンビニエンスストア、駅構内、ホテル、病院、アミューズメントパーク、飲食店、オフィスビルディングなどの多様な施設に設置される。
【００２０】
また、自動取引装置１０は、顧客操作表示部１４と、通帳挿入口１６と、カード挿入口１８と、を備える。顧客操作表示部１４は、顧客による操作の誘導画面を表示する表示部および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。なお、図１においては表示部および顧客操作部の機能が自動取引装置１０において一体的に構成される例を示しているが、表示部および顧客操作部の機能は分離して構成されてもよい。
【００２１】
通帳挿入口１６は顧客の通帳の挿入および排出を行い、カード挿入口１８は顧客のキャッシュカードの挿入および排出を行う。また、接客口１９は、顧客による紙幣の入金口、および顧客への紙幣の出金口としての機能を有する。
【００２２】
専用網１２は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト２０は、この専用網１２を介して自動取引装置１０と通信することができる。
【００２３】
金融機関ホスト２０は、専用網１２を介して自動取引装置１０と通信することにより、各種取引を制御する。例えば、金融機関ホスト２０は、自動取引装置１０を操作する顧客の認証を行ったり、自動取引装置１０において顧客により指示された入金や振込などの金銭取引（勘定の取引処理）を実行したりする。また、金融機関ホスト２０は、口座番号、暗証番号、氏名、住所、年齢、生年月日、電話番号、職業、家族構成、年収、預金残高などの顧客情報（口座の元帳）を管理する。
【００２４】
本発明の実施形態は、上述した自動取引システムに含まれる自動取引装置１０に関し、特に、自動取引装置１０における出金取引に関する。以下、自動取引装置１０の構成および基本動作を説明した後に、本発明の各実施形態について詳細に説明する。
【００２５】
＜２．自動取引装置１０の構成および基本動作＞
図２は、自動取引装置１０の内部構成を示した説明図である。図２に示したように、自動取引装置１０は、紙幣処理機構１３および制御部１５を備える。さらに、紙幣処理機構１３は、接客口１９を含む接客部１、鑑別部２、一時保留部３、紙幣カセット４ａ〜４ｄ、リジェクトカセット５、および搬送路６ａ〜６ｍを備える。
【００２６】
接客部１は、入金取引時に顧客により入金された紙幣を分離したり、出金取引時に顧客に出金する紙幣を集積したりするための構成である。
【００２７】
鑑別部２は、顧客の入金した紙幣、または顧客に出金する紙幣の鑑別を行う。具体的には、鑑別部２は、搬送路６を通って搬送された紙幣の金種、真偽、正損および走行状態などを鑑別する。
【００２８】
一時保留部３は、入金取引時に接客部１で分離されて鑑別部２により正常と鑑別された紙幣を一時的に集積する。一時保留部３に集積された紙幣は、鑑別部２を経て紙幣カセット４ａ〜４ｄなどに搬送され、入金した紙幣の口座計上などが確定し、取引が成立する。また、一時保留部３は、紙幣カセット４ａ〜４ｄ間の紙幣移動の際にも用いられる。
【００２９】
紙幣カセット４ａ〜４ｄは、顧客の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。例えば、紙幣カセット４ａおよび４ｃが一万円札用の紙幣カセットであり、紙幣カセット４ｂおよび４ｄが千円札用の紙幣カセットであってもよい。なお、紙幣カセット４ａ〜４ｄは、紙幣処理機構１３に対して着脱可能な構造になっており、個別に交換することで紙幣カセット４ａ〜４ｄに紙幣を装填することも可能である。
【００３０】
リジェクトカセット５は、出金取引時または入金取引時に鑑別部２によって金種不明と鑑別された入金、支払不可の紙幣を集積する。
【００３１】
搬送路６ａ〜６ｍは、紙幣を搬送するための構成である。各搬送路６ａ〜６ｍは、制御部１５による制御に従ってＤＣサーボモータまたはパルスモータなどが回転することにより、紙幣を目的の搬送先に搬送することが可能である。また、搬送路６ａ〜６ｅは入金経路を構成し、搬送路６ｂ〜６ｄおよび６ｆ〜６ｌは集積経路を構成し、搬送路６ｂ、６ｃ、６ｅ〜６ｇおよび６ｈ〜６ｋは出金経路を構成する。
【００３２】
制御部１５は、上記の搬送路６ａ〜６ｍを制御することにより、入金、集積、出金および紙幣移動などの基本動作を制御する。以下、各基本動作について説明する。
【００３３】
（基本動作）
入金取引においては、まず、接客部１から紙幣が１枚ずつ分離され、分離された紙幣は搬送路６ａおよび６ｂを経て鑑別部２に搬送される。そして、鑑別部２による鑑別結果が正常であった紙幣は搬送路６ｃおよび６ｄを経て一時保留部３に集積される。一方、鑑別部２による鑑別結果が正常であった紙幣は搬送路６ｃおよび６ｅを経て接客部１に集積される。その後、顧客により入金金額の確認操作が行われると、集積処理に移行する。
【００３４】
集積処理においては、まず、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て金種に対応する紙幣カセット４ａ〜４ｄに集積される。一方、一万円札および千円札の汚損券、折れ紙幣、二千円札、五千円札、スキュー紙幣などの走行異常紙幣のように、鑑別部２による鑑別結果が異常であった紙幣は、搬送路６ｇおよび６ｌを経てリジェクトカセット５に集積される。
【００３５】
紙幣移動においては、まず、紙幣カセット４ａ〜４ｄのうちの移動元の紙幣カセットから紙幣が分離され、分離された紙幣は搬送路６ｇ〜６ｋ、６ｂを経て鑑別部２に搬送される。そして、鑑別部２による鑑別結果が正常であった紙幣は搬送路６ｃおよび６ｄを経て一時保留部３に搬送される。一方、鑑別部２による鑑別結果が正常であった紙幣は、搬送路６ｃおよび６ｍを経てリジェクトカセット５に集積される。
【００３６】
その後、一時保留部３から紙幣カセット４ａ〜４ｄのうちの移動先の紙幣カセットに紙幣が搬送される。具体的には、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て移動先の紙幣カセットに集積される。一方、鑑別部２による鑑別結果が異常であった紙幣は、搬送路６ｇおよび６ｌを経てリジェクトカセット５に集積される。
【００３７】
続いて、図３および図４を参照し、通常の出金取引の流れを説明する。図３および図４は、通常の出金取引の流れを示した説明図である。図３および図４に示したように、通常の出金取引においては、まず、顧客により指定された金額に応じて紙幣カセット４ａ〜４ｄから紙幣が１枚ずつ分離され、分離された紙幣は搬送路６ｇ〜６ｋおよび６ｂを経て鑑別部２に搬送される。
【００３８】
そして、鑑別部２による鑑別結果が正常であった紙幣は、図３に示したように搬送路６ｃおよび６ｅを経て接客部１に集積される。一方、鑑別部２による鑑別結果が異常であった紙幣、すなわち、顧客に支払いできない紙幣は、図４に示したように、搬送路６ｃおよび６ｍを経てリジェクトカセット５に集積される。
【００３９】
（通常の出金取引の課題）
しかし、上記の通常の出金取引では、紙幣カセット４から分離された紙幣が本来は正常であっても、紙幣カセット内の集積状況、分離機構の摩耗状況および紙幣の走行状態（搬送状態）などによって金種を特定できない場合、リジェクトカセット５に搬送されてしまう。このため、通常の出金取引では、リジェクトカセット５に搬送されるリジェクト紙幣が必要以上に増加してしまうという問題があった。
【００４０】
そこで、上記事情を一着眼点にして本発明の各実施形態による自動取引装置１０を創作するに至った。本発明の各実施形態による自動取引装置１０は、出金取引時においてリジェクト紙幣の発生率を低減することが可能である。以下、このような本発明の各実施形態について詳細に説明する。
【００４１】
＜３．第１の実施形態＞
本発明の第１の実施形態では、出金取引で紙幣鑑別のリトライ動作を行うことによりリジェクト紙幣の発生率を低減する自動取引装置１０を提案する。自動取引装置１０は、機能や動作を制御するためのパラメータ値を有するので、リトライ動作の有無を設定するためのパラメータ値を追加することにより、後述するリトライ動作を実現することが可能となる。
【００４２】
図５および図６は、第１の実施形態による出金取引を示した説明図である。第１の実施形態による出金取引においては、まず、図５の左方に示したように紙幣カセット４ａから紙幣が分離され、分離された紙幣が鑑別部２に搬送される。そして、制御部１５は、鑑別部２による鑑別結果が正常であった紙幣は通常通り接客部１に集積する。一方、制御部１５は、鑑別部２による鑑別結果が異常であった紙幣は、図５の左方に示したように一時保留部３に集積する。
【００４３】
そして、一時保留部３に紙幣が集積されると、制御部１５は、一時保留部３から紙幣を分離し、分離した紙幣を図５に示したように鑑別部２に再搬送する。続いて、鑑別部２が再搬送された紙幣を鑑別し、制御部１５は、鑑別結果が正常であった紙幣を鑑別結果に応じた金種の紙幣カセット４に集積する。一方、制御部１５は、鑑別結果が異常であった紙幣はリジェクトカセット５に集積する。
【００４４】
第１の実施形態による自動取引装置１０は、上述した２つの処理（紙幣カセット４から接客部１または一時保留部３への搬送、一時保留部３から紙幣カセット４またはリジェクトカセット５への搬送）を繰り返すことにより、顧客によって指定された金額の紙幣を接客部１に集積する。
【００４５】
（第１の実施形態の動作フロー）
図７は、上述した第１の実施形態による自動取引装置１０の出金取引を整理したフローチャートである。図７に示したように、まず、顧客が顧客操作表示部１４を操作して出金金額を指定すると（Ｓ１０４）、自動取引装置１０は、紙幣カセット４から紙幣を分離して（Ｓ１０８）、分離した紙幣を鑑別部２に搬送する（Ｓ１１２）。
【００４６】
そして、鑑別部２による鑑別結果が正常である場合（Ｓ１１６）、自動取引装置１０は接客部１に紙幣を集積する（Ｓ１２０）。ここで、接客部１に出金金額の紙幣が集積された場合には出金取引が終了し、接客部１に出金金額の紙幣が集積されていない場合にはＳ１０８からの処理を繰り返す（Ｓ１２４）。
【００４７】
一方、自動取引装置１０は、Ｓ１１６での鑑別部２による鑑別結果が異常であった場合、一時保留部３に紙幣を一時的に集積（退避）する（Ｓ１２８）。その後、自動取引装置１０は、一時保留部３の紙幣を分離し、分離した紙幣を鑑別部２に再搬送する（Ｓ１３２）。
【００４８】
そして、鑑別結果が異常であった場合（Ｓ１３６）、自動取引装置１０は、紙幣をリジェクトカセット５に集積して（Ｓ１４０）、Ｓ１０８からの処理を繰り返す。一方、鑑別結果が正常であった場合（Ｓ１３６）、自動取引装置１０は、鑑別結果に応じた金種の紙幣カセット４に紙幣を集積して（Ｓ１４４）、Ｓ１０８からの処理を繰り返す。
【００４９】
以上説明したように、本発明の第１の実施形態により自動取引装置１０は、パラメータ値による紙幣鑑別のリトライ動作の設定に基づき、出金取引時に異常と鑑別された紙幣を再度鑑別する。かかる構成により、本来正常な紙幣が１度目の鑑別で例えば走行状態等の偶発的な事情により異常と鑑別されてしまった場合でも、この紙幣は２度目で正常と鑑別され得るので、リジェクト紙幣の発生率を低減することが可能となる。
【００５０】
＜４．第２の実施形態＞
続いて、本発明の第２の実施形態を説明する。第２の実施形態では、リトライ動作の回数を設定するためのパラメータ値を追加することにより、複数回のリトライ動作を実現する。これにより、第２の実施形態による自動取引装置１０は、リジェクト紙幣の発生率をさらに抑制することが可能である。
【００５１】
図８は、第２の実施形態による出金取引を示した説明図である。第２の実施形態による出金取引においては、まず、図８（Ａ）に示したように紙幣カセット４ａから紙幣が分離され、分離された紙幣が鑑別部２に搬送される。そして、制御部１５は、鑑別部２による鑑別結果が正常であった紙幣は通常通り接客部１に集積する。一方、制御部１５は、鑑別部２による鑑別結果が異常であった紙幣は、図８（Ａ）に示したように一時保留部３に集積する。
【００５２】
そして、一時保留部３に紙幣が集積されると、制御部１５は、図８（Ｂ）に示したように、一時保留部３から紙幣を分離し、分離した紙幣を当該紙幣が集積されていた紙幣カセット４ａに戻す。なお、制御部１５は、各紙幣の分離元、集積先などの個別情報を管理しており、この個別情報に基づいて一時保留部３の紙幣を元の紙幣カセット４ａに戻してもよい。ここで、鑑別部２は、一時保留部３から紙幣カセット４ａへの移動の過程で鑑別部２を経由する紙幣を鑑別してもよいし、鑑別しなくてもよい。鑑別部２が鑑別を行う場合、制御部１５は、鑑別部２により鑑別された金種に応じた紙幣カセットに紙幣を集積してもよい。
【００５３】
その後、制御部１５は、紙幣カセット４ａに戻された紙幣を再び分離して、分離した紙幣を鑑別部２に搬送する。そして、鑑別部２による鑑別結果が正常であった場合、制御部１５は、図８（Ｃ）に示したように紙幣を接客部１に集積する。
【００５４】
一方、鑑別部２による鑑別結果が異常であり、かつ、鑑別部２による鑑別回数が設定回数ｘ以下である場合、制御部１５は、図８（Ａ）に示したように紙幣を再び一時保留部３に集積する。
【００５５】
さらに、鑑別部２による鑑別結果が異常であり、かつ、鑑別部２による鑑別回数が設定回数ｘを上回る場合、制御部１５は、図８（Ｄ）に示したように紙幣をリジェクトカセット５に集積する。
【００５６】
（第２の実施形態の動作フロー）
図９は、上述した第２の実施形態による自動取引装置１０の出金取引を整理したフローチャートである。図９に示したように、まず、顧客が顧客操作表示部１４を操作して出金金額を指定すると（Ｓ２０４）、自動取引装置１０は、紙幣カセット４から紙幣を分離して（Ｓ２０８）、分離した紙幣を鑑別部２に搬送する（Ｓ２１２）。
【００５７】
そして、鑑別部２による鑑別結果が正常である場合（Ｓ２１６）、自動取引装置１０は接客部１に紙幣を集積する（Ｓ２２０）。ここで、接客部１に出金金額の紙幣が集積された場合には出金取引が終了し、接客部１に出金金額の紙幣が集積されていない場合にはＳ２０８からの処理を繰り返す（Ｓ２２４）。
【００５８】
一方、自動取引装置１０は、Ｓ２１６での鑑別部２による鑑別結果が異常であった場合、鑑別部２による鑑別回数が設定回数ｘ以下であるか否かを判断する（Ｓ２２８）。
【００５９】
そして、自動取引装置１０は、鑑別部２による鑑別回数が設定回数ｘ以下である場合、鑑別された紙幣を一時保留部３に集積し（Ｓ２３２）、その後、当該紙幣を紙幣カセット４に戻し（Ｓ２３６）、Ｓ２０８からの処理を繰り返す。一方、自動取引装置１０は、鑑別部２による鑑別回数が設定回数ｘを上回る場合、当該紙幣をリジェクトカセット５へ集積し（Ｓ２４０）、Ｓ２０８からの処理を繰り返す。
【００６０】
以上説明したように、第２の実施形態による自動取引装置１０は、設定回数の範囲内で紙幣鑑別を繰り返すことにより、リジェクト紙幣の発生率をさらに低減することが可能である。
【００６１】
＜５．第３の実施形態＞
続いて、本発明の第３の実施形態を説明する。第１の実施形態および第２の実施形態によれば、上述したようにリジェクト紙幣の発生率を低減することが可能である。しかし、第１の実施形態および第２の実施形態では、出金取引の最中にリトライ動作を行うので、接客部１に出金金額の紙幣が集積するまでに時間がかり、出金取引が長期化する点が懸念される。そこで、本発明の第３の実施形態では、リジェクト紙幣の発生率を低減しつつ、出金取引に要する時間を短縮するための手段を提案する。
【００６２】
図１０は、第３の実施形態による出金取引を示した説明図である。第３の実施形態による出金取引においては、まず、図１０（Ａ）に示したように紙幣カセット４ａから紙幣が分離され、分離された紙幣が鑑別部２に搬送される。そして、制御部１５は、鑑別部２による鑑別結果が正常であった紙幣は通常通り接客部１に集積する。一方、制御部１５は、鑑別部２による鑑別結果が異常であった紙幣は、図１０（Ａ）に示したように一時保留部３に集積する。
【００６３】
そして、制御部１５は、鑑別結果が異常であった紙幣が一時保留部３に集積された状態で、図１０（Ｂ）に示したように続けて紙幣カセット４ａから紙幣を分離する。そして、制御部１５は、鑑別部２による鑑別結果が正常であった紙幣は通常通り接客部１に集積し、鑑別部２による鑑別結果が正常であった紙幣は一時保留部３に集積する。
【００６４】
このように、制御部１５は、紙幣鑑別のリトライ動作を行うことなく紙幣カセット４ａからの紙幣の分離を繰り返す。そして、制御部１５は、出金金額の紙幣が接客部１に集積すると、図１０（Ｎ）に示したように一時保留部３に集積された紙幣の再鑑別を開始する。
【００６５】
（第３の実施形態の動作フロー）
図１１は、上述した第３の実施形態による自動取引装置１０の出金取引を整理したフローチャートである。図１１に示したように、まず、顧客が顧客操作表示部１４を操作して出金金額を指定すると（Ｓ３０４）、自動取引装置１０は、紙幣カセット４から紙幣を分離して（Ｓ３０８）、分離した紙幣を鑑別部２に搬送する（Ｓ３１２）。
【００６６】
そして、鑑別部２による鑑別結果が正常である場合（Ｓ３１６）、自動取引装置１０は接客部１に紙幣を集積する（Ｓ３２０）。ここで、接客部１に出金金額の紙幣が集積された場合には出金取引が終了し、接客部１に出金金額の紙幣が集積されていない場合にはＳ３０８からの処理を繰り返す（Ｓ３２４）。一方、自動取引装置１０は、Ｓ３１６での鑑別部２による鑑別結果が異常であった場合、一時保留部３に紙幣を一時的に集積（退避）し、Ｓ３０８からの処理を繰り返す（Ｓ３２８）。
【００６７】
そして、自動取引装置１０は、接客部１に出金金額の紙幣が集積された後に（Ｓ３２４）、一時保留部３に集積された紙幣を鑑別部２に再搬送する（Ｓ３３２）。鑑別部２は、再搬送された紙幣を鑑別し、自動取引装置１０は、鑑別部２による鑑別結果が正常であった紙幣は鑑別された金種に応じた紙幣カセット４に集積し（Ｓ３４０）、鑑別結果が異常であった紙幣はリジェクトカセット５に集積する（Ｓ３４４）。
【００６８】
以上説明したように、本発明の第３の実施形態による自動取引装置１０は、接客部１に出金金額の紙幣が集積されるまで、紙幣鑑別のリトライ動作を行うことなく紙幣カセット４ａからの紙幣の分離を繰り返す。かかる構成により、接客部１に出金金額の紙幣が集積されるまでに要する時間、および出金取引によるする時間を短縮することが可能である。
【００６９】
＜６．第４の実施形態＞
続いて、本発明の第４の実施形態を説明する。第３の実施形態は、出金取引後に第１の実施形態による紙幣鑑別のリトライ動作を行うものであるのに対し、第４の実施形態は、出金取引後に第２の実施形態による紙幣鑑別のリトライ動作を行うものである。以下、図１２を参照し、このような第４の実施形態による出金取引の流れを説明する。
【００７０】
（第４の実施形態の動作フロー）
図１２は、上述した第４の実施形態による自動取引装置１０の出金取引を整理したフローチャートである。図１２に示したように、まず、顧客が顧客操作表示部１４を操作して出金金額を指定すると（Ｓ４０４）、自動取引装置１０は、紙幣カセット４から紙幣を分離して（Ｓ４０８）、分離した紙幣を鑑別部２に搬送する（Ｓ４１２）。
【００７１】
そして、鑑別部２による鑑別結果が正常である場合（Ｓ４１６）、自動取引装置１０は接客部１に紙幣を集積する（Ｓ４２０）。ここで、接客部１に出金金額の紙幣が集積された場合には出金取引が終了し、接客部１に出金金額の紙幣が集積されていない場合にはＳ４０８からの処理を繰り返す（Ｓ４２４）。一方、自動取引装置１０は、Ｓ４１６での鑑別部２による鑑別結果が異常であった場合、一時保留部３に紙幣を一時的に集積（退避）し、Ｓ４０８からの処理を繰り返す（Ｓ４２８）。
【００７２】
そして、自動取引装置１０は、接客部１に出金金額の紙幣が集積された後に（Ｓ４２４）、一時保留部３に集積された紙幣を紙幣カセット４に戻し（Ｓ４３２）、紙幣カセット４から紙幣を分離して（Ｓ４３６）、分離した紙幣を鑑別部２に再搬送する（Ｓ４４０）。
【００７３】
続いて、鑑別部２が再搬送された紙幣を鑑別し、鑑別結果が正常である場合（Ｓ４４４）、当該紙幣を一時保留部３に集積した後に紙幣カセット４に戻す（Ｓ４４８、Ｓ４５２）。
【００７４】
一方、自動取引装置１０は、Ｓ４４４での鑑別部２による鑑別結果が異常であった場合、鑑別部２による鑑別回数が設定回数ｘ以下であるか否かを判断する（Ｓ４５６）。そして、自動取引装置１０は、鑑別部２による鑑別回数が設定回数ｘ以下である場合、鑑別された紙幣を一時保留部３に集積し（Ｓ４６０）、Ｓ４３２からの処理を繰り返す。一方、自動取引装置１０は、鑑別部２による鑑別回数が設定回数ｘを上回る場合、当該紙幣をリジェクトカセット５へ集積する（Ｓ４６４）。
【００７５】
このような本発明の第４の実施形態による自動取引装置１０は、第３の実施形態と同様に、接客部１に出金金額の紙幣が集積されるまでに要する時間、および出金取引に要する時間を短縮することが可能である。
【００７６】
＜７．むすび＞
以上説明したように、本発明の第１の実施形態によれば、出金取引時に異常と鑑別された紙幣を再度鑑別することにより、リジェクト紙幣の発生率を低減することができる。また、本発明の第２の実施形態によれば、紙幣鑑別のリトライ動作を設定回数の範囲内で繰り返すことにより、さらにリジェクト紙幣の発生率を低減することが可能となる。さらに、本発明の第３の実施形態および第４の実施形態によれば、接客部１に出金金額の紙幣が集積された後に紙幣鑑別のリトライ動作を開始することにより、出金取引に要する時間、すなわち顧客の待ち時間を短縮することが可能である。
【００７７】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７８】
例えば、本明細書の自動取引装置１０の処理における各ステップは、必ずしもフローチャートとして記載された順序に沿って時系列に処理する必要はない。例えば、自動取引装置１０の処理における各ステップは、フローチャートとして記載した順序と異なる順序で処理されても、並列的に処理されてもよい。
【００７９】
また、自動取引装置１０に内蔵されるＣＰＵ、ＲＯＭおよびＲＡＭなどのハードウェアを、上述した自動取引装置１０の制御部１５と同等の機能を発揮させるためのコンピュータプログラムも作成可能である。また、該コンピュータプログラムを記憶させた記憶媒体も提供される。
【符号の説明】
【００８０】
１      接客部
２      鑑別部
３      一時保留部
４ａ〜４ｍ  紙幣カセット
５      リジェクトカセット
６ａ〜６ｍ  搬送路
１０    自動取引装置
１２    専用網
１３    紙幣処理機構
１４    顧客操作表示部
１５    制御部
１６    通帳挿入口
１８    カード挿入口
１９    接客口
２０    金融機関ホスト
【図１】
2013016133.tif 000003
【図２】
2013016133.tif 000004
【図３】
2013016133.tif 000005
【図４】
2013016133.tif 000006
【図５】
2013016133.tif 000007
【図６】
2013016133.tif 000008
【図７】
2013016133.tif 000009
【図８】
2013016133.tif 000010
【図９】
2013016133.tif 000011
【図１０】
2013016133.tif 000012
【図１１】
2013016133.tif 000013
【図１２】
2013016133.tif 000014